【事件の表示】
　特願２００２−１０１９５１「物品容器のロック装置」拒絶査定不服審判事件〔平成１５年１０月１７日出願公開、特開２００３−２９６８３３〕について、次のとおり審決する。
【結　論】
　本件審判の請求は、成り立たない。
【理　由】
１．手続の経緯
　本願は、平成１４年４月３日の出願であって、平成１６年１２月２１日付で拒絶査定がなされ、これに対し、平成１７年１月２４日に拒絶査定に対する審判請求がなされると共に、同日付で手続補正がなされたものである。
　
２．平成１７年１月２４日付の手続補正についての補正却下の決定
［補正却下の決定の結論］
　　平成１７年１月２４日付の手続補正を却下する。
［理由］
（１）補正後の本願発明
　本件補正により、特許請求の範囲の請求項１は、
　「ＣＤ等を収納する平板状クリアケース
の下方側辺
前記クリアケースの下方側辺をリリーサに挿入した時に、
上記リリーサに設けられた
　上記ロック機構がロック用タグの端面に設けられた上記２段のロック用の溝とロック時該溝に係止される係止部を対応する端面に有するロック部材からなり、
前記クリアケース下方側方の収納部材に収納された
前記クリアケースの下方側辺をリリーサに挿入した時、
前記リリーサに設けられた
と補正された。
　上記補正は、請求項１に記載した発明を特定するために必要な事項である「ロック構造」及び「ロック部材」を有する場所について、クリアケース「の下方側辺」との限定を付加し、同じく「ロック解除」のための外部磁石について「リリーサに設けられた」との限定を付加するものであって、特許法第１７条の２第４項第２号の特許請求の範囲の減縮を目的とするものに該当する。
　そこで、本件補正後の前記請求項１に記載された発明（以下「本件補正発明」という。）が特許出願の際独立して特許を受けることができるものであるか（特許法第１７条の２第５項において準用する同法第１２６条第５項の規定に適合するか）について以下に検討する。
　
（２）引用文献
（２−１）原査定の拒絶の理由に引用された特開２０００−９０３６０号公報（以下「引用文献１」という。）には、図面とともに次の事項が記載されている。
・「【０００１】
【発明の属する技術分野】本発明は、万引き防止装置に関し、特に、音楽ＣＤやゲームソフトやビデオテープ等の万引きを防止するための、ペーパー式万引き防止装置と共用できる自鳴式の万引き防止装置に関する。」
・「【００１０】従来の万引き防止用ケースのロック機構を、図９〜図１３を参照しながら説明する。図９と図１０に示す様な形状の透明樹脂ケース１にＣＤ等の商品８を入れ、ロックバー22を操作することにより、ＣＤ等をケース１に固定する。ロックバー22がオープンの位置にある時は、ＣＤ等を動かすことができるため、ＣＤ等の出し入れが自由である。ロックバー22がロック位置にある時は、ＣＤ等の動きがロックバー22にて規制されているため、ケース外周４カ所の爪23により阻止されて、ＣＤ等の商品を取り出すことができない。」
・「【００３０】（実施の形態）本発明の実施の形態は、自鳴式タグを商品ケースへ装着する時には、道具を必要とせずに装着でき、ロックを解除するときには専用の解除装置でのみ正常に解除できるロック機構と、商品と接した状態でＯＦＦになり商品と離れるとＯＮになる商品検出スイッチと、ゲートの無線信号を受信して応答する無線受信回路と、電源スイッチと商品検出スイッチがともにＯＮのときと無線信号受信時に鳴る警報ブザーと、ロック時にＯＮとなり、解除装置でロックを解除するときにＯＦＦとなる電源スイッチとを具備する万引き防止装置である。」
・「【００３１】図１は、本発明の実施の形態の万引き防止装置の全体図である。図１において、商品ケース１は、商品８を収納するケースである。自鳴式タグ２は、商品ケース１に装着して商品８のロックをする万引き防止用の装置である。ロック機構３は、Ｕ字形スプリングを利用した固定手段である。商品検出スイッチ４は、商品８の取り出しを検知するマイクロスイッチである。無線受信回路５は、ゲートの無線信号を受信する手段である。電源スイッチ６は、ロック機構３によりＯＮ／ＯＦＦするスライドスイッチである。警報ブザー７は、異常を報知するためのブザーである。図２は、ロック状態を示す図である。」
・「【００３３】図３は、ロック機構の動作を説明する図である。図３（ａ）は、ロック状態を示す図である。ロック突起12にロックスプリング10が引っ掛かっているため、自鳴式タグ２は下方向に移動できない。図３（ｂ）は、解除装置への挿入を示す図である。解除装置に挿入すると、解除装置内にある磁石によってロックスプリング10が広がり、自鳴式タグ２は上下方向にフリーになる。ただし、移動量はタグストッパー14に当たるまでの距離である。図３（ｃ）は、オープン状態を示す図である。ＣＤ等の重量により、自鳴式タグ２は下方向に移動し、解除装置よりケース１を抜き去ると、ロックスプリング10は復帰し、抜け止め突起11に引っ掛かる。自鳴式タグ２の交換は、解除装置のタグストッパー14を取り外すことで可能である。図３に示したロック機構の部分は、構造を分かりやすくするために、爪15および電源スイッチ６は省略してある。」
・「【００３４】図４に示す電源スイッチ６は、ロック時にＯＮになり、解除装置で解除するときにＯＦＦになる。自鳴式タグ２を商品ケース１に装着するときは、自鳴式タグ２の電源スイッチ６をＯＦＦにしておいてから装着する。商品ケース１に装着すると、商品８により商品検出スイッチ４が切れてから、電源スイッチ６がＯＮになる。したがって、ブザー７を鳴らさずに、自鳴式タグ２を装着できる。」
・「【００３５】図４は、電源スイッチのＯＮ／ＯＦＦ動作を示す図である。図４（ａ）は、初期状態を示す図である。商品ケース１のロック機構はオープン状態であり、電源スイッチ６はＯＦＦである。図４（ｂ）は、ロック状態を示す図である。自鳴式タグ２をスライドさせて、ケース１をロックさせると、電源スイッチ６はケース１に当たり、ＯＮとなる。図４（ｃ）は、解除装置13への挿入を示す図である。この状態では、ケース１がロック状態であるため、電源スイッチ６はＯＮのままである。図４（ｄ）は、ロック解除を示す図である。ロックが解除され、自鳴式タグ２がスライドすると、解除装置13の爪15に電源スイッチ６が当たり、ＣＤの自重でＯＦＦとなる。図４（ｅ）は、初期状態を示す図である。以上のサイクルで自動的にＯＮ／ＯＦＦ動作が行なわれる。この例ではスライドスイッチを使用しているが、プッシュスイッチやレバースイッチ等の他の双安定スイッチを使用することも可能である。」
　
　また、図１には、ロック機構３が、商品ケース３の下方側辺に収納されている構成が示され、図３には、抜け止め突起１１及びロック突起１２が自鳴式タグ２の両端側面に設けられた構成、及び、係合される脚部を対応する側面に有するＵ字形のロックスプリング１０の構成が示されている。さらに、上記段落【００３３】【００３４】【００３５】の記載及び図３，図４の図示内容によれば、ロック機構３は、自鳴式タグ２の抜け止め突起１１の下方に設けられた１段目の溝にロックスプリング１０の脚部が係合することで商品ケース３に取り付けられ、自鳴式タグ２のロック突起１２の下方に設けられた２段目の溝にロックスプリング１０の脚部が係合することで商品を該ケース内にロックし、商品ケース１の下方側辺を解除装置１３に挿入した時、両端側面外方における解除装置１３内にある磁石の接近によりロックスプリング１０の脚部が吸着されてロックが解除される構成となっているものと認めることができる。
　
　以上の記載と図示内容によれば引用文献１には、次の事項からなる発明が記載されているといえる。（以下「引用発明」という。）
　「ＣＤ等を収納する商品ケース１の下方側辺に商品を固定してロックするロック機構３を有し、該ロック機構３が自鳴式タグ２に設けられた２段のロック用の溝と、該溝に脚部が係合してロックされ、前記商品ケース１の下方側辺を解除装置１３に挿入した時に、脚部が上記解除装置１３内にある磁石により広がることによりロックが解除されるＵ字形のロックスプリング１０からなり、該ロック機構３の１段目の溝で商品ケース１に取り付けられ、２段目の溝で商品を該商品ケース１内にロックするロック機構３において、
　上記ロック機構３が自鳴式タグ２の両端側面に設けられた上記２段のロック用の溝と、ロック時該溝に係合される脚部を対応する側面に有するＵ字形のロックスプリング１０からなり、前記商品ケース１下方側方に収納されたロックスプリング１０が設けられており、該ロックスプリング１０のバネ力により常時は該ロックスプリング１０の脚部が前記自鳴式タグ２の溝に係合されてロック状態にあり、前記商品ケース１の下方側辺を解除装置１３に挿入した時、両端側面外方における前記解除装置１３内にある磁石の接近により該ロックスプリング１０の前記脚部が吸着されてロックが解除されるロック機構３。」
　
（２−２）同じく原査定の拒絶の理由に引用された特開２００２−５１８８２号公報（以下「引用文献２」という。）には、図４，５と共に次の事項が記載されている。
・「【０００９】つぎに、他の実施例を説明する。商品吊下げ用タグホルダー２１は、取付部２４を、ケース２２内の下部に磁石を近づけたり離したりすることにより左右方向にスライドする固定部２４ａ及び当部２４ｂに挿通する軸２４ｃの右端に鉄製の頭部２４ｄを設けると共に、固定部２４ａと当部２４ｂ間に圧縮スプリング２４ｅを設けたスライド機構とし、支持部２５に（「を」は誤記）、平板の上部にスライドする軸２４ｃの左端（「右端」は誤記）を係止するノコギリ形の係止部２５ａを形設し、下部に袋Ｆ２の上部をビン止めするリベットによる固定ピン２５ｂを設けた形態である。」
・「【００１０】商品吊下げ用タグホルダー２１の使用例として、商品をレジにて購入する際、レジにてケース２２の右下に磁石Ｇを近づけることにより、取付部２４の頭部２４ｄが引き寄せられることにより、軸２４ｃも同時に右側に移動する。この時、圧縮スプリング２４ｅは固定部２４ａ方向に当部２４ｂにて圧縮され、軸２４ｃの左端部が支持部２５の係止部２５ａより外れ、支持部２５を取付部２４より取り外すことができる。つまり、磁石Ｇを近ずけない限り、圧縮スプリング２４ｅは突っ張った状態であり、軸２４ｃの左端部は支持部２５の係止部２５ａに常時係止されている。」
　
（３）対比
　本件補正発明と引用発明とを対比すると、後者の「商品ケース１」は前者の「平板状クリアケース」に相当し、以下同様に「自鳴式タグ２」は「ロック用タグ」に、「係合して」は「嵌合されて」に、「解除装置１３」は「リリーサ」に、「脚部」は「一体化された鉄部材等」に、「解除装置１３内にある磁石」は「リリーサに設けられた外部磁石」に、「ロックスプリング１０」は「ロック部材」に、「溝に係合される脚部」は「溝に係止される係止部」に、それぞれ相当する。
　そして、後者の「ロック機構３」は、「１段目の溝で商品ケース１に取り付けられ、２段目の溝で商品を該商品ケース内にロックする」構成となっているので、「２段階のロック構造」を具えているといえる。
　また、後者の「脚部が解除装置１３内にある磁石により広がる」ことは、前者の「一体化された鉄部材等がリリーサに設けられた外部磁石によりロック用のバネに抗して吸着される」ことに相当している。
　さらに、後者の「両端側面外方」と前者の「端面外方」とは、「端部外方」である点で共通し、後者の「ロックスプリング１０」と前者の「ロック用のスプリングバネ」とは、「ロック用のバネ」である点で共通する。
　したがって両者は、
［一致点］
「ＣＤ等を収納する平板状クリアケースの下方側辺に商品を固定してロックする２段階のロック構造を有し、該２段階のロック構造がロック用タグに設けられた２段のロック用の溝と、該溝に嵌合されてロックされ、前記クリアケースの下方側辺をリリーサに挿入した時に、一体化された鉄部材等が上記リリーサに設けられた外部磁石によりロック用のバネに抗して吸着されることによりロックが解除されるロック部材からなり、該ロック構造の１段目の溝でケースに取り付けられ、２段目の溝で商品を該ケース内にロックするロック機構において、
　上記ロック機構がロック用タグに設けられた上記２段のロック用の溝とロック時該溝に係止される係止部を有するロック部材からなり、前記クリアケース下方側方に収納されたロック用のバネにより常時は該ロック部材が前記ロック用タグのロック用溝に係合されてロック状態にあり、前記クリアケースの下方側辺をリリーサに挿入した時、端部外方における前記リリーサに設けられた外部磁石の接近により該ロック部材の前記鉄部材等が吸着されてロックが解除されるロック機構。」である点で一致し、
［相違点］
（イ）本件補正発明では、ロック機構の２段のロック用溝の位置が、ロック用タグ「の端面」であり、ロック部材の係止部を、ロック用の溝に「対応する端面」に有すると共に、ロック部材「端面」がロック用溝に係合され、「端面外方」の外部磁石の接近によりロックが解除されるのに対して、引用発明では、そのような構成を有していない点、及び、
（ロ）本件補正発明では、「ロック部材とケース筐体の横側端面内の内部壁面との間にロック用のスプリングバネが設けられて」いるものであるのに対し、引用発明では、「ロック部材」としての「Ｕ字形のロックスプリングが設けられて」いるものである点、及び、
（ハ）ロック部材が、本件補正発明では、「収納部材」に収納されているのに対し、引用発明では、収納部材を有していない点で相違している。
　
（４）相違点に対する判断
　相違点（イ）について
　引用文献２には、ロック機構の２段のロック用溝の位置が、支持部２５（「ロック用タグ」に相当）の端面に設けられ、ロック用の溝に係止される軸２４ｃ（「ロック部材」に相当）の左端部（「係止部」に相当）を、ロック用の溝に対応する端面に有すると共に、該軸２４ｃの左端部（「ロック部材端面」に相当）が、ロック用溝に係合され、磁石Ｇ（「端面外方の外部磁石」に相当）の接近によりロックが解除されるロック機構の発明が記載されている。
　引用発明と引用文献２に記載された発明とは、商品の万引き防止用タグのロック機構である点で同一の技術分野に属するものであるから、引用発明において、引用文献２に記載されたロック機構の構成を採用することで相違点（イ）に係る本件補正発明の構成とすることは当業者が容易になし得たことと認められる。
　相違点（ロ）について
　引用文献２には、軸２４ｃと一体に移動する当部２４ｂと固定部２４ａとの間に圧縮スプリング２４ｅを設けたロック機構の発明が記載されている。
　上記固定部２４ａは取付部２４の横側端部付近に固定されて、圧縮スプリング２４ｅの固定端を保持する部材であり、当部２４ｂは、ロック部材である軸２４ｃの左端部及び鉄部材等からなる頭部２４ｄと一体化されて、圧縮スプリング２４ｅの可動端を保持するものであり、したがって、上記圧縮スプリング２４ｅは、「ロック部材とケース筐体の横側端面内の内部壁面との間に」設けられた「ロック用のスプリングバネ」に相当する。
　そして、ロック用のスプリングバネはロック部材を係合方向に付勢するものであれば足りるものであるから、引用発明において、上記のようにロック用タグの端面にロック用溝を設ける構成としたときに、引用文献２に記載されたスプリングバネの配置構成を採用して相違点（ロ）に係る本件補正発明の構成とすることは当業者が容易になし得たことと認められる。
　相違点（ハ）について
　引用文献２に記載された取付部２４は、その内部にスプリングバネと軸２４ｃ（「ロック部材」に相当）を収納するものであるから、「収納部材」といえる。
　そうすると、引用発明において、ロック部材を、引用文献２に記載されたように収納部材に収納することで相違点（ハ）に係る本件補正発明の構成とすることは適宜設計し得る事項と認められる。
　
　また、本件補正発明の奏する効果は、引用文献１，２に記載された発明から予測しうる程度のものと認められる。
　
　したがって、本件補正発明は、引用文献１，２に記載された発明に基づいて当業者が容易に発明をすることができたものと認められるので特許法第２９条第２項の規定により特許出願の際独立して特許を受けることができないものである。
　
（５）むすび
　以上のとおり、本件補正は、特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１７年１月２４日付の手続補正は上記のとおり却下されたので、本願の請求項１に係る発明（以下、同項記載の発明を「本願発明」という。）は、平成１６年１１月１５日付手続補正書の特許請求の範囲の請求項１に記載された事項により特定される、以下のとおりのものである。
「ＣＤ等を収納する平板状クリアケースに商品を固定してロックする２段階のロック構造を有し、該２段階のロック構造がロック用タグに設けられた２段のロック用の溝と、該溝に嵌合されてロックされ、一体化された鉄部材等が外部磁石によりロック用のバネに抗して吸着されることによりロックが解除されるロック部材からなり、該ロック構造の１段目の溝でケースに取り付けられ、２段目の溝で商品を該ケース内にロックするロック機構において、
　上記ロック機構がロック用タグの端面に設けられた上記２段のロック用の溝とロック時該溝に係止される係止部を対応する端面に有するロック部材からなり、前記ロック部材と前記ケース筐体の横側端面の内部壁面との間にロック用のスプリングバネが設けられており、該スプリングバネにより常時は該ロック部材端面が前記ロック用タグのロック用溝に係合されてロック状態にあり、該端面外方における外部磁石の接近により該ロック部材の前記鉄部材等が吸着されてロックが解除されることを特徴とするロック機構。」
　
（１）引用文献
　原査定の拒絶の理由に引用された引用文献及びその記載事項は、前記「２．（２）」に記載したとおりである。
　
（２）対比・判断
　本願発明は、上記したとおりであって、前記２．で検討した本件補正発明から「ロック構造」及び「ロック部材」を有する場所について、クリアケース「の下方側辺」との限定を省き、同じく「ロック解除」のための外部磁石について「リリーサに設けられた」との限定を省いたものである。
　
　そうすると、本願発明の構成要件を全て含み、さらに他の構成要件を付加したものに相当する本件補正発明が、前記「２．（４）」に記載したとおり、引用文献１，２に記載された発明に基づいて、当業者が容易に発明をすることができたものであるから、本願発明も、同様の理由により、引用文献１，２に記載された発明に基づいて、当業者が容易に発明をすることができたものである。
　
４．むすび
　以上のとおり、本願発明は、引用文献１，２に記載された発明に基づいて、当業者が容易に発明をすることができたものであるから、特許法第２９条第２項の規定により特許を受けることができない。
　よって、結論のとおり審決する。